(57)【要約】【課題】調光装置からの反射光による熱変形を抑制するプロジェクタを提供する。【解決手段】プロジェクタは、光源３１１から射出された光束の通過光量を調整する調光装置５と、調光装置５を通過した光束を画像情報に応じて変調し、画像光を形成する電気光学装置と、画像光を投写する投写光学装置と、光源３１１から投写光学装置に至る光路上に配置される光学部品を収納配置する光学部品用筐体３７と、調光装置５にて反射された反射光Ｌ２を上部筐体３７２に対して遮光する遮光部材６とを備えている。【選択図】図６
2010026203.tif 000002
【特許請求の範囲】
【請求項１】
光源から射出された光束の通過光量を調整する調光装置と、
前記調光装置を通過した光束を画像情報に応じて変調し、画像光を形成する電気光学装置と、
前記画像光を投写する投写光学装置と、
前記光源から前記投写光学装置に至る光路上に配置される光学部品を収納配置する光学部品用筐体と、
前記調光装置にて反射された反射光を前記光学部品用筐体に対して遮光する遮光部材と、
を備えていることを特徴とするプロジェクタ。
【請求項２】
請求項１に記載のプロジェクタであって、
前記遮光部材は、前記遮光部材および前記光学部品用筐体の、少なくともいずれか一方に設けられたリブ状の突起部を介して、前記光学部品用筐体に当接していることを特徴とするプロジェクタ。
【請求項３】
請求項１または２に記載のプロジェクタであって、
前記光学部品を押圧して固定する固定部材をさらに備え、
前記固定部材は、その一部が前記光学部品用筐体と前記遮光部材とで挟持されて前記光学部品用筐体に取り付けられていることを特徴とするプロジェクタ。
【発明の詳細な説明】
【技術分野】
【０００１】
本発明は、画像光を投写するプロジェクタに関する。
【背景技術】
【０００２】
従来、光源から射出された光束を画像情報に応じて変調して画像光を形成し、その画像光をスクリーン等に投写するプロジェクタが知られている。プロジェクタは、企業内でのプレゼンテーションや、家庭内での映画鑑賞等の種々の用途に用いられている。そして、画像光のコントラストを向上させるために、調光装置を用いて光源から射出された光束の光量を調整する技術が提案されている（例えば、特許文献１参照）。
特許文献１に記載の技術は、調光装置を、光学部品を収納するための光学部品用筐体、具体的には、光源から射出された光束を複数の部分光束に分割する光学部品（第１レンズアレイ）の光束射出側に配置する。
調光装置は、遮蔽部材、駆動機構等を備える。遮蔽部材は、駆動機構によって駆動されて回動することで第１レンズアレイから射出された光束を部分的に遮蔽し、光量を調整する。
【０００３】
【特許文献１】特開２００７−７１９１３号公報
【発明の開示】
【発明が解決しようとする課題】
【０００４】
しかしながら、特許文献１に記載の技術は、調光装置によって遮蔽された光束が反射光となって光学部品用筐体に照射されるため、光学部品用筐体は、その反射光を吸収して温度が上昇して変形したり、軟化したりする恐れがある。光学部品用筐体が変形したり、軟化したりすると、内部に収納している光学部品を精度良く保持することができなくなり、光学部品がずれた際には、投写される画像光の画質が劣化するという問題がある。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクタは、光源から射出された光束の通過光量を調整する調光装置と、前記調光装置を通過した光束を画像情報に応じて変調し、画像光を形成する電気光学装置と、前記画像光を投写する投写光学装置と、前記光源から前記投写光学装置に至る光路上に配置される光学部品を収納配置する光学部品用筐体と、前記調光装置にて反射された反射光を前記光学部品用筐体に対して遮光する遮光部材と、を備えていることを特徴とする。
【０００７】
このプロジェクタによれば、遮光部材が調光装置からの反射光を光学部品用筐体に対して遮光するので、光学部品用筐体は、反射光によって生じる熱変形が抑制され、形状を安定して維持することができる。これによって、光学部品用筐体は、光学部品を適正な位置に安定して収納することが可能となり、プロジェクタは、良好な画質の画像光を投写することができる。
【０００８】
［適用例２］上記適用例に係るプロジェクタにおいて、前記遮光部材は、前記遮光部材および前記光学部品用筐体の、少なくともいずれか一方に設けられたリブ状の突起部を介して、前記光学部品用筐体に当接していることが好ましい。
【０００９】
このプロジェクタによれば、遮光部材と光学部品用筐体とは、リブ状の突起部を介して当接しているので、遮光部材と光学部品用筐体とが当接する面積が狭い。これによって、光学部品用筐体は、調光装置からの反射光が照射された遮光部材からの熱が伝わりにくく、温度上昇が緩和されるので熱変形が抑制される。
【００１０】
［適用例３］上記適用例に係るプロジェクタにおいて、前記光学部品を押圧して固定する固定部材をさらに備え、前記固定部材は、その一部が前記光学部品用筐体と前記遮光部材とで挟持されて前記光学部品用筐体に取り付けられていることが好ましい。
【００１１】
このプロジェクタによれば、光学部品用筐体は、調光装置からの反射光が遮光されて形状が安定して維持されるので、この光学部品用筐体に取り付けられる固定部材は、適正な位置が確保されて光学部品を押圧することができる。また、固定部材は、その一部が光学部品用筐体と遮光部材とで挟持されているので、ネジ等の部材を用いることなく光学部品用筐体に保持されることができ、省スペース化が図れる。
【発明を実施するための最良の形態】
【００１２】
以下、本実施形態に係るプロジェクタについて、図面を参照して説明する。
本実施形態のプロジェクタは、光源から射出された光束を画像情報に応じて変調して画像光を形成し、その画像光をスクリーン等に拡大投写する。
図１は、本実施形態のプロジェクタの概略構成を示す模式図である。
図１に示すように、プロジェクタ１は、外装筐体２、制御部（図示省略）、光源３１１を有する光学ユニット３、および光源３１１や制御部に電力を供給する電源装置４等を備えている。なお、具体的な図示は省略したが、外装筐体２内には、プロジェクタ１内部を冷却する冷却ファン等が配置されるものとする。
【００１３】
制御部は、ＣＰＵ（Central Processing Unit）やＲＯＭ（Read Only Memory）、ＲＡＭ（Random Access Memory）等を備え、コンピュータとして機能するものであり、プロジェクタ１の動作の制御、例えば、画像の投写に関わる制御等を行う。
【００１４】
光学ユニット３は、制御部による制御の下、光源３１１から射出された光束を光学的に処理し、画像情報に応じた画像光を形成して投写する。
図１に示すように、光学ユニット３は、光源装置３１、照明光学装置３２、色分離光学装置３３、リレー光学装置３４、電気光学装置３５、投写光学装置としての投写レンズ３６、調光装置５、およびこれら各光学部品３１〜３６と調光装置５とを所定位置に配置する光学部品用筐体３７を備える。
【００１５】
光源装置３１は、超高圧水銀ランプやメタルハライドランプ等からなる放電型の光源３１１およびリフレクタ３１２等を備える。そして、光源装置３１は、光源３１１から射出された光束をリフレクタ３１２によって射出方向を揃え、照明光学装置３２に向けて射出する。
【００１６】
照明光学装置３２は、第１レンズアレイ３２１、第２レンズアレイ３２２、偏光変換素子３２３、重畳レンズ３２４を備える。第１レンズアレイ３２１は、光軸方向から見て略矩形の輪郭を有する小レンズがマトリクス状に配列された構成を有しており、光源装置３１から射出された光束を複数の部分光束に分割する。第２レンズアレイ３２２は、第１レンズアレイ３２１と略同様の構成を有しており、重畳レンズ３２４とともに、部分光束を後述する液晶パネル３５２の表面に略重畳させる。偏光変換素子３２３は、第２レンズアレイ３２２から射出されたランダム偏光光を液晶パネル３５２で利用可能な略１種類の偏光光に揃える機能を有する。
【００１７】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００１８】
リレー光学装置３４は、入射側レンズ３４１、リレーレンズ３４３、および反射ミラー３４２，３４４を備え、第２のダイクロイックミラー３３２を透過したＲ光をＲ光用の液晶パネル３５２Ｒまで導く機能を有する。なお、光学ユニット３は、リレー光学装置３４がＲ光を導く構成としているが、これに限らず、例えば、Ｂ光を導く構成としてもよい。
【００１９】
電気光学装置３５は、入射側偏光板３５１、光変調装置としての液晶パネル３５２、射出側偏光板３５３、色合成光学装置としてのクロスダイクロイックプリズム３５４を備える。電気光学装置３５は、後述する調光装置５を通過し、色分離光学装置３３によって各色光に分離された光束を画像情報に応じて変調して画像光を形成する。
【００２０】
投写レンズ３６は、複数のレンズを組み合わせた組レンズとして構成され、電気光学装置３５にて形成された画像光をスクリーン上に拡大投写する。
【００２１】
調光装置５は、光源３１１から射出された光束の通過光量を調整する機能を有している。調光装置５は、第１レンズアレイ３２１と第２レンズアレイ３２２との間に配設される。調光装置５は、制御部による制御のもと第１レンズアレイ３２１を透過した光束（以下「透過光束」という）を部分的に遮蔽して第２レンズアレイ３２２に入射する光量、ひいては、電気光学装置３５に入射する光量を調整し、投写画像のコントラスト向上に寄与する。なお、調光装置５の構成については、後で詳細に説明する。
【００２２】
図２は、光学部品用筐体３７の斜視図である。具体的に図２は、投写レンズ３６による画像光の投写方向とは反対方向から光学部品用筐体３７を見た図であり、上部を構成する上部筐体を分解した状態を示す図である。なお、以下では、説明の便宜上、光源装置３１から光束が射出される方向を＋Ｚ方向、Ｚ方向に直交し、図２の図面視における前を＋Ｘ方向、Ｚ方向およびＸ方向に直交し、図２の図面視における上を＋Ｙ方向として記載する。
【００２３】
図２に示すように、光学部品用筐体３７は、合成樹脂製でＺ方向に長く延出する箱状に形成されている。光学部品用筐体３７は、上方（＋Ｙ方向）に開口部を有し、前述した第１レンズアレイ３２１等の光学部品を収納する下部筐体３７１と、この開口部を閉塞する上部筐体３７２とを備えて構成されている。
【００２４】
下部筐体３７１は、ＢＭＣ（Bulk Molding Compound）等の高耐熱材料で形成され、外装筐体２の底面に沿って配置される底面部３７１１と、底面部３７１１の端縁から起立する側面部３７１２とを有している。そして、下部筐体３７１は、これらにより、断面視略Ｕ字状に形成されている。
下部筐体３７１の−Ｚ方向の端部には、光源装置３１が取り付けられる光源取付部３７１３が形成されている。そして、＋Ｚ方向の端部の−Ｘ側には、投写レンズ３６が取り付けられるレンズ取付部３７１４が形成され、そのレンズ取付部３７１４には、画像光が通過する開口孔が設けられている。下部筐体３７１の内部には、第１レンズアレイ３２１等の光学部品を位置決めするための複数の溝が形成されている。また、下部筐体３７１の外周縁部には、上部筐体３７２を取り付けるためのネジ穴３７１５が複数設けられている。
【００２５】
図２に示すように、第１レンズアレイ３２１は、側端部が光源取付部３７１３近傍の溝に挿入されて下部筐体３７１に組み込まれる。調光装置５は、下部筐体３７１の第１レンズアレイ３２１の光束射出側に配置される。
電気光学装置３５は、レンズ取付部３７１４の内側（＋Ｘ側）に配置され、その他の光学部品は、第１レンズアレイ３２１と同様に、側端部が溝に挿入されて下部筐体３７１に組み込まれる。
このように、光学部品用筐体３７は、光源３１１から投写レンズ３６に至る光路上に配置される光学部品を収納配置する。
【００２６】
ここで、調光装置５の構成について説明する。
図３は、調光装置５を示す斜視図である。
図３に示すように、調光装置５は、保持部材５１、駆動手段としてのステッピングモータ（以下「モータ」と略す）５２、ギア５３〜５５、遮蔽部５６，５７及びフォトセンサ５８を備えている。
【００２７】
保持部材５１は、平面視略矩形の板金により形成されており、端縁に形成された複数の孔部５１１を挿通するネジ（図示省略）により、保持部材５１が−Ｘ側の側面部３７１２（図２参照）に沿って下部筐体３７１に取り付けられ、これにより、調光装置５が下部筐体３７１に取り付けられる。この保持部材５１における側面部３７１２に対向する面５１Ａ側には、ギア５３〜５５及び遮蔽部５６，５７が配置され、面５１Ａとは反対側の面５１Ｂ側には、モータ５２及びフォトセンサ５８が配置される。
【００２８】
モータ５２は、ギア５３〜５５を回動させる駆動力を発生するものであり、制御部により制御される。
このモータ５２は、回転軸であるスピンドル（図示省略）を有するモータ本体５２１と、このスピンドルの先端に設けられたギア５２２とを備えている。これらのうち、モータ本体５２１は、保持部材５１の面５１Ｂ側に取り付けられ、ギア５２２は、開口部を介して、面５１Ａ側に配置され、ギア５３と噛合する。
【００２９】
ギア５３は、モータ５２で発生した駆動力をギア５４に伝達する。
このギア５３は、ギア５２２に噛合する第１ギア部５３１と、ギア５４に噛合する第２ギア部５３２とを備え、これら第１ギア部５３１及び第２ギア部５３２は、それぞれ同軸上に形成されている。このうち、第１ギア部５３１の径寸法は、第２ギア部５３２の径寸法より大きく設定されており、このようなギア５３により、ギア５２２の回転が減速され、モータ５２の回動は、ギア５４，５５では約１０分の１の回動に調整される。
【００３０】
ギア５４，５５は、互いに噛合した状態で、保持部材５１に回動自在に取り付けられる。すなわち、ギア５３を介して伝達されたモータ５２の駆動力により、ギア５４，５５は、互いに逆方向に回動する。
これらのうち、ギア５４は、平面視略円形状に形成されているが、ギア５５は、調光装置５の小型化のために、ギア５５が保持する遮蔽部５７の動作範囲に応じた寸法に設定されている。具体的には、ギア５５は、平面視略１／４円形状を有している。
【００３１】
ギア５４は、ギア取付部の中心に回動軸ＡＸ１を有し、また、ギア５５は、ギア取付部の中心に回動軸ＡＸ２を有し、これら回動軸ＡＸ１，ＡＸ２を中心として回動する。
調光装置５は、これら回動軸ＡＸ１，ＡＸ２が透過光束の中心軸に対して略直交するように配置される。また、これら回動軸ＡＸ１，ＡＸ２は、後述する遮蔽部５６，５７が、ギア５４，５５の回動に応じて、第２レンズアレイ３２２に対して近接及び離間するように、第２レンズアレイ３２２近傍に位置する。
【００３２】
ギア５４，５５は、回動軸ＡＸ１，ＡＸ２から外れた位置に、遮蔽部５６，５７をそれぞれ保持する保持部５４１，５５１を備えている。
保持部５４１，５５１は、回動軸ＡＸ１，ＡＸ２に沿うように、ギア５４，５５から面外方向に起立して形成されている。そして、これら保持部５４１，５５１には、回動軸ＡＸ１，ＡＸ２に沿って配置された遮蔽部５６，５７が、ネジ（図示省略）により固定される。
【００３３】
また、ギア５４の一端には、切欠５４２が形成されている。この切欠５４２は、ギア５４が回動されて所定の位置に達した際に、フォトセンサ５８から照射される光を通過させる。そして、フォトセンサ５８は、光の検出状態が変化することにより、ギア５４によって保持される遮蔽部５６の位置を検出する。そして、フォトセンサ５８は、遮蔽部５６の位置の検出状態に係る検出信号を、制御部に出力する。
【００３４】
遮蔽部５６，５７は、図３に示すように、それぞれ、回動軸ＡＸ１，ＡＸ２に沿う方向（Ｘ方向）に長手方向を有する板状部材であり、互いが略鏡面対称形状を有している。そして、遮蔽部５６，５７は、長手方向の寸法が、第２レンズアレイ３２２における各小レンズが形成された領域の同方向の寸法に応じて設定され、また、延出方向に略直交する方向（短手方向）の寸法が、同じく各小レンズが形成された領域における同方向の寸法の略半分に設定されている。
【００３５】
遮蔽部５６，５７は、長手方向に沿って延出する第１遮蔽部５６１，５７１と、固定部５６２，５７２（図４参照）と、第２遮蔽部５６３，５７３とを有し、これらが一体的に形成されている。
第１遮蔽部５６１，５７１は、Ｘ方向に沿う所定の軸を中心して、所定の曲率で湾曲して形成されており、このため、第１遮蔽部５６１，５７１は、側面視略円弧状に形成されている。
固定部５６２，５７２は、第１遮蔽部５６１，５７１のギア５４，５５側（−Ｘ方向側）に平板状に形成されている（図４参照）。この固定部５６２，５７２には、遮蔽部５６，５７を保持部５４１，５５１に固定するためのネジ（図示省略）が挿通する孔が形成されている。
【００３６】
第２遮蔽部５６３，５７３は、第１遮蔽部５６１，５７１における他方の遮蔽部に近接する側の端部から、いったん−Ｚ方向に屈曲し、屈曲方向の先端にて、他方の遮蔽部に近接するように再度屈曲して形成されている。これら第２遮蔽部５６３，５７３は、遮蔽部５６，５７への光の入射方向（−Ｚ方向）から見て、略矩形状に形成されているとともに、Ｘ方向に沿う所定の軸を中心として、第１遮蔽部５６１，５７１と同等の曲率で湾曲して形成されている。このため、第２遮蔽部５６３，５７３は、側面視略円弧状を有している。そして、これら第２遮蔽部５６３，５７３、および第１遮蔽部５６１，５７１の−Ｚ側の面が、透過光束の一部を遮光する遮光面として構成される。
【００３７】
図４は、調光装置５の遮蔽部５６，５７と、第１レンズアレイ３２１および第２レンズアレイ３２２との位置関係を示す斜視図である。
遮蔽部５６，５７は、図４に示すように、第１レンズアレイ３２１と第２レンズアレイ３２２との間に、透過光束の中心軸を通るＸ−Ｚ平面に対して略対称で、かつ、長手方向がＸ方向に沿うように配置される。そして、遮蔽部５６，５７は、制御部からの指示を受けたモータ５２によって回動され、制御部の指示に応じて透過光束が通過する透過領域内に挿入される量を変える。そして、遮蔽部５６，５７は、透過領域内に挿入された部位に入射する透過光束を反射し、その他の透過光束を通過させて第２レンズアレイ３２２に入射する光束の光量を調整する。
【００３８】
図２に戻って、上部筐体３７２について説明する。
上部筐体３７２は、ガラス繊維入りのＰＢＴ（PolyButyleneTerephthalate）等で形成され、前述したように、下部筐体３７１の開口部を閉塞するように構成されている。上部筐体３７２には、下部筐体３７１のネジ穴３７１５に対応する位置にネジが挿通される挿通孔３７２３が形成されている。そして、上部筐体３７２は、ネジで下部筐体３７１に取り付けられることによって、下部筐体３７１の溝に挿入された光学部品を上方から押さえて固定する。
【００３９】
図５は、上部筐体３７２を内面側からみた斜視図であり、具体的には、後述する遮光部材６および固定部材７を分解した図である。
図５に示すように、上部筐体３７２の−Ｚ方向の端部近傍の内面３７２Ａは、Ｘ−Ｚ平面に沿う面と、Ｘ−Ｚ平面に対して傾斜する面と有している。この内面３７２Ａには、−Ｙ方向に突出する略長方形のリブ状の突起部３７２２が複数設けられている。この突起部３７２２のうち、縁部近傍に位置する突起部３７２２には、さらに−Ｙ方向に突出する円柱状の突起部３７２１が複数設けられている。
【００４０】
図２、図５に示すように、上部筐体３７２の内面には、第１レンズアレイ３２１の上方（＋Ｙ方向）に位置する遮光部材６と固定部材７とが取り付けられている。
先ず、遮光部材６について説明する。
遮光部材６は、調光装置５にて反射された反射光を上部筐体３７２に対して遮光する機能を有している。
遮光部材６は、図２、図５に示すように、平面視における略長方形の板金から構成され、プレス加工によって、短手方向に屈曲され、上部筐体３７２に取り付けられた際に、内面３７２Ａに沿うような複数の面が形成されている。そして、その１つの面の略中央部には、平面視における略長方形の角孔６１が長手方向に沿って２つ設けられ、２つの角孔６１の間には、押え部６３が形成されている。また、遮光部材６は、屈曲されることによって、剛性が高められている。遮光部材６の四隅には、上部筐体３７２の突起部３７２１に対応する位置に、突起部３７２１の径より僅かに大きな径の丸孔６２が形成されている。
【００４１】
遮光部材６は、図５に示すように、長手方向がＸ方向に沿い、後述する固定部材７が挿入された状態で、丸孔６２に突起部３７２１が挿入されて上部筐体３７２に組み込まれる。そして、遮光部材６は、突起部３７２１の先端が溶着されて、上部筐体３７２に取り付けられる。また、遮光部材６は、リブ状の突起部３７２２に当接し、内面３７２Ａに対して隙間を有して上部筐体３７２に取り付けられている。このように、遮光部材６は、リブ状の突起部３７２２を介して、上部筐体３７２に当接している。
【００４２】
次に、固定部材７について説明する。
固定部材７は、上部筐体３７２が下部筐体３７１に取り付けられた際に、第１レンズアレイ３２１を下部筐体３７１側に押圧して固定する。
固定部材７は、板ばねとしての機能を有し、図２、図５に示すように、平面視における略長方形の板金から構成され、長手方向に屈曲されて複数の面が形成されている。
固定部材７は、図２に示すように、略中央部に設けられている平坦部７１、平坦部７１の両端から平坦部７１に対して傾斜して延出する傾斜部７４、傾斜部７４のそれぞれの端部から平坦部７１と略平行に延出する当接部７２、および一方の当接部７２の端部から平坦部７１に対して略直交して延出する直交部７３を有している。
固定部材７は、平坦部７１と当接部７２とが平面的に近接するように力が加わることによって、両者が平面的に離間する方向に力が発生する。
【００４３】
固定部材７は、上部筐体３７２と遮光部材６とで挟持されている。具体的に、図５に示すように、固定部材７は、当接部７２が下部筐体３７１側（−Ｙ方向）に突出し、平坦部７１が遮光部材６の押え部６３に当接するように２つの角孔６１に挿入されて固定されている。
遮光部材６および固定部材７を上部筐体３７２に固定する手順は、先に平坦部７１を２つの角孔６１に挿入して固定部材７を遮光部材６に組み込んでから、丸孔６２に突起部３７２１が挿入されるように遮光部材６を上部筐体３７２に組み込む。また、直交部７３を上部筐体３７２の位置決め穴３７２４に挿入して、固定部材７を上部筐体３７２に対して位置決めする。そして、前述したように遮光部材６が溶着によって上部筐体３７２に固定される。
このように、固定部材７は、その一部（平坦部７１）が上部筐体３７２と遮光部材６とで挟持されて上部筐体３７２に取り付けられている。
そして、固定部材７は、上部筐体３７２が下部筐体３７１に取り付けられた際に、当接部７２が第１レンズアレイ３２１の端部を押圧する。そして、固定部材７が第１レンズアレイ３２１を押圧する押圧力に対する反力は、平坦部７１に当接している上部筐体３７２によって受け止められる。
【００４４】
次に、調光装置５により反射された光の光路について説明する。
図６は、遮光部材６、固定部材７および調光装置５の断面図であり、調光装置５による反射光の光路を示す図である。具体的に、図６は、第１レンズアレイ３２１を透過した光束が通過する透過領域内に遮蔽部５６，５７が僅かに挿入された状態での反射光の光路を示す模式図である。
図６に示すように、第１レンズアレイ３２１を透過した上方（＋Ｙ方向）の光束Ｌ１は、遮蔽部５７によって反射される（反射光Ｌ２）。反射光Ｌ２は、上部筐体３７２に取り付けられた遮光部材６に照射される。反射光Ｌ２は、遮光部材６によって遮光されているので、上部筐体３７２には、照射されない。
また、図示は省略するが、遮光部材６は、遮蔽部５６，５７が透過領域内に僅かに挿入された状態から最も挿入された状態の間でも、上部筐体３７２に対して反射光Ｌ２を遮光するように設定されている。
このように、遮光部材６は、調光装置５にて反射された反射光Ｌ２を上部筐体３７２に対して遮光する。
【００４５】
以上説明したように、本実施形態のプロジェクタ１によれば、以下の効果を得ることができる。
（１）遮光部材６が調光装置５からの反射光Ｌ２を上部筐体３７２に対して遮光するので、上部筐体３７２は、反射光Ｌ２によって生じる熱変形が抑制され、形状を安定して維持することができる。これによって、下部筐体３７１に組み込まれている第１レンズアレイ３２１等の光学部品を適正な位置に安定して固定することが可能となり、プロジェクタ１は、良好な画質の画像光を投写することができる。
【００４６】
（２）遮光部材６は、リブ状の突起部３７２２を介して上部筐体３７２に当接し、内面３７２Ａに対して隙間を有しているので、遮光部材６と上部筐体３７２とが当接する面積が狭い。これによって、上部筐体３７２は、反射光Ｌ２が照射された遮光部材６からの熱が伝わりにくく、温度上昇が緩和されるので熱変形が抑制される。
【００４７】
（３）固定部材７が第１レンズアレイ３２１を押圧する押圧力に対する反力は、上部筐体３７２によって受け止められる。上部筐体３７２は、調光装置５からの反射光Ｌ２が遮光されて形状が安定して維持されるので、固定部材７は、適正な位置が確保されて第１レンズアレイ３２１を押圧することができる。これによって、第１レンズアレイ３２１は、適正な位置に安定して保持される。
【００４８】
（４）固定部材７は、平坦部７１が上部筐体３７２と、板状部材で形成された遮光部材６とで挟持されているので、ネジ等の部材を用いることなく上部筐体３７２に保持され、省スペース化が図れる。
【００４９】
（５）遮光部材６は、板金で形成されているので、反射光Ｌ２が照射されて温度が上昇しても変形することが抑制されるので、上部筐体３７２と共に固定部材７を確実に挟持することができる。
【００５０】
（６）遮光部材６には２つの角孔６１が設けられており、固定部材７の平坦部７１が角孔６１に挿入されて固定されるので、遮光部材６と固定部材７を同時に上部筐体３７２に固定することができ、組立の簡易化を図ることができる。
【００５１】
（変形例）
なお、前記実施形態は、以下のように変更してもよい。
前記実施形態では、上部筐体３７２にリブ状の突起部３７２２を設け、その突起部３７２２と遮光部材６とが当接するように構成されているが、遮光部材６にリブ状の突起部を設け、その突起部が上部筐体３７２と当接するように構成してもよい。
【００５２】
前記実施形態の遮光部材６は、第１レンズアレイ３２１を押圧する固定部材７に対して、その一部を上部筐体３７２とで挟持するように構成されているが、他の光学部品を押圧する固定部材を備え、その固定部材に対して、その一部を挟持するように構成してもよい。
【００５３】
遮光部材６は、高耐熱性を有する液晶ポリマー等を使用してもよい。
【００５４】
前記実施形態のプロジェクタ１は、光変調装置として透過型の液晶パネル３５２を用いているが、反射型の液晶パネルを利用したものであってもよい。また、光変調装置は、マイクロミラーアレイを用いたデバイス等を使用したものであってもよい。
【００５５】
前記実施形態のプロジェクタ１は、フロントタイプのプロジェクタ１として適用しているが、投写対象面としてのスクリーンを一体で有するリアタイプのプロジェクタにも適用できる。
【図面の簡単な説明】
【００５６】
【図１】本実施形態のプロジェクタの概略構成を示す模式図。
【図２】光学部品用筐体の斜視図。
【図３】調光装置を示す斜視図。
【図４】調光装置の遮蔽部と、第１レンズアレイおよび第２レンズアレイとの位置関係を示す斜視図。
【図５】上部筐体を内面側からみた斜視図。
【図６】遮光部材、固定部材および調光装置の断面図であり、調光装置による反射光の光路を示す図。
【符号の説明】
【００５７】
１…プロジェクタ、２…外装筐体、３…光学ユニット、５…調光装置、６…遮光部材、７…固定部材、３５…電気光学装置、３６…投写レンズ、３７…光学部品用筐体、５６，５７…遮蔽部、７１…平坦部、７２…当接部、３１１…光源、３２１…第１レンズアレイ、３２２…第２レンズアレイ、３５２…液晶パネル、３７１…下部筐体、３７２…上部筐体、３７２２…突起部。
【図１】
2010026203.tif 000003
【図２】
2010026203.tif 000004
【図３】
2010026203.tif 000005
【図４】
2010026203.tif 000006
【図５】
2010026203.tif 000007
【図６】
2010026203.tif 000008